【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
吸収冷温水機を運転するに際し、乾球温度と相対湿度とを逐次計測し、計測結果を入力し演算して得られる数値を元にして、制御盤に予め入力されているデータテーブルにより、吸収冷温水機に循環する冷却水温度を選択・設定し、冷却水が設定温度になるように、冷却塔ファンモータの回転数制御、又は冷却塔ファンモータの回転数制御と冷却水温度調整弁制御を組み合せた制御のいずれかの方法で制御することを特徴とする吸収冷温水機の省エネルギー制御運転方法。
【請求項２】
吸収冷温水機と、この吸収冷温水機に冷却水を供給するための冷却水ポンプと、前記吸収冷温水機からの冷却水を冷却するための冷却塔とを少なくとも備えた冷暖房用の冷水又は温水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、吸収冷温水機の冷却水入口ラインに設けられた冷却水温度センサーとを備え、制御盤と冷却塔ファンモータが接続されて、吸収冷温水機に循環される冷却水温度が、データテーブルで設定された温度に制御されるようにしたことを特徴とする吸収冷温水機の省エネルギー制御運転装置。
【請求項３】
吸収冷温水機と、この吸収冷温水機に冷却水を供給するための冷却水ポンプと、前記吸収冷温水機からの冷却水を冷却するための冷却塔と、この冷却塔からの冷却水の温度を調節するための冷却水温度調整弁とを少なくとも備えた冷暖房用の冷水又は温水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、吸収冷温水機の冷却水入口ラインに設けられた冷却水温度センサーとを備え、制御盤と冷却塔ファンモータ及び冷却水温度調整弁が接続されて、吸収冷温水機に循環される冷却水温度が、データテーブルで設定された温度に制御されるようにしたことを特徴とする吸収冷温水機の省エネルギー制御運転装置。
【手続補正２】
【補正対象書類名】明細書
【補正対象項目名】０００４
【補正方法】変更
【補正の内容】
【０００４】
従来から、多機能湿度調節器として、目標とする湿度値と乾球・湿球温度から算出した相対湿度を比較しながら湿度制御を行うことにより、湿度の急激な変化を制御するようにしたものが知られている（例えば、特許文献１参照）。また、冷却塔の運転方法とこの冷却塔として、乾球温度を計測する温度計と、その相対湿度を測定する乾式の湿度計を設けて、冷却塔の送風機の回転方向を正逆制御するようにしたものが知られている（例えば、特許文献２参照）。また、恒温恒湿装置として、乾球温度、湿球温度、相対湿度、露点温度の４つの指標の少なくとも２つの入力により、残りの少なくとも１つを演算する演算装置を備えたものが知られている（例えば、特許文献３参照）。
また、恒温恒湿装置として、目標乾球温度、目標湿球温度及び目標相対湿度の雰囲気指標のうち少なくとも２つの値の入力に基づき冷却装置の冷却能力を制御するようにしたものが知られている（例えば、特許文献４参照）。また、湿潤温度制御優先式温湿度統合コントローラとして、乾球温度センサーのみならず湿潤温度センサーを備える空気調和システム用コントローラとする構成のものが知られている（例えば、特許文献５参照）。さらに、屋内温度調節器として、室内に湿度センサーと温度センサーとを設け、湿潤温度値を乾球温度と共に用いて、温度値と湿度値の両方の関数である単一の誤差信号を生成し、これによって、温度調節システムの異常サイクルなしで室内温度と室内湿度の両方を制御するようにしたものが知られている（例えば、特許文献６参照）。
【特許文献１】特開２００２−３６４８８３号公報（第１頁、図２）
【特許文献２】特開２００２−２１３８９８号公報（第１頁、図１）
【特許文献３】特開２００１−３３０７９号公報（第１頁、図３）
【特許文献４】特開２００１−３３０７８号公報（第１頁、図１）
【特許文献５】特表２００４−５２４４９５号公報（第１頁、図１）
【特許文献６】特表平８−５１０３４８号公報（第１頁、図１）
【手続補正３】
【補正対象書類名】明細書
【補正対象項目名】０００９
【補正方法】変更
【補正の内容】
【０００９】
また、本発明の吸収冷温水機の省エネルギー制御運転装置は、吸収冷温水機（冷凍機を含む）と、この吸収冷温水機に冷却水を供給するための冷却水ポンプと、前記吸収冷温水機からの冷却水を冷却するための冷却塔とを少なくとも備えた冷暖房用の冷水又は温水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、吸収冷温水機の冷却水入口ラインに設けられた冷却水温度センサーとを備え、制御盤と冷却塔ファンモータが接続されて、吸収冷温水機に循環される冷却水温度がデータテーブルで設定された温度に制御されるようにしたことを特徴としている。
【手続補正４】
【補正対象書類名】明細書
【補正対象項目名】００１０
【補正方法】変更
【補正の内容】
【００１０】
さらに、本発明の吸収冷温水機の省エネルギー制御運転装置は、吸収冷温水機（冷凍機を含む）と、この吸収冷温水機に冷却水を供給するための冷却水ポンプと、前記吸収冷温水機からの冷却水を冷却するための冷却塔と、この冷却塔からの冷却水の温度を調節するための冷却水温度調整弁とを少なくとも備えた冷暖房用の冷水又は温水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、吸収冷温水機の冷却水入口ラインに設けられた冷却水温度センサーとを備え、制御盤と冷却塔ファンモータ及び冷却水温度調整弁が接続されて、吸収冷温水機に循環される冷却水温度が、データテーブルで設定された温度に制御されるようにしたことを特徴としている。
【手続補正５】
【補正対象書類名】明細書
【補正対象項目名】００１４
【補正方法】変更
【補正の内容】
【００１４】
図１に示すように、冷暖房用の冷水又は温水を供給するための熱源システムは、吸収冷温水機１０と、この吸収冷温水機１０に冷却水を供給するための冷却水ポンプ１２と、前記吸収冷温水機１０からの冷却水を冷却するための冷却塔１４とを少なくとも備えている。１８は冷温水ポンプ、２２はファンモータの駆動信号接続用端子、２４は冷却ファン、２６は冷却塔ファンモータである。なお、冷却塔ファンモータ２６の制御器は制御盤３４内に搭載されている。
【手続補正６】
【補正対象書類名】明細書
【補正対象項目名】００２１
【補正方法】変更
【補正の内容】
【００２１】
このように構成された熱源システムにおいて、乾球温度センサー２８及び相対湿度センサー３０が接続された演算器３２と、この演算器３２に接続された制御盤３４ａと、演算器３２の数値を元にして循環する冷却水温度を表した、制御盤３４ａに予め入力されているデータテーブル３６と、吸収冷温水機１０の冷却水入口ライン３８に設けられた冷却水温度センサー４０とを備え、制御盤３４ａと冷却塔ファンモータ２６及び冷却水温度調整弁１６の両方が接続されて、吸収冷温水機１０に循環される冷却水温度がデータテーブル３６で設定された温度に制御されるように構成されている。
【手続補正７】
【補正対象書類名】明細書
【補正対象項目名】００２２
【補正方法】変更
【補正の内容】
【００２２】
このように構成された装置において、図４に示すように、吸収冷温水機１０を運転するに際し、乾球温度と相対湿度とを逐次計測し、計測結果を入力し演算して得られる数値（湿球温度）を元にして、制御盤３４ａに予め入力されているデータテーブル３６により、吸収冷温水機１０に循環する冷却水温度を選択・設定し、冷却水が設定温度になるように、冷却塔ファンモータ２６の回転数及び冷却水温度調整弁１６を制御をする。すなわち、自動設定した温度になるように冷却塔ファンモータ２６の回転数を可変させ、冷却水温度の変化に併せて、冷却水温度調整弁１６の作動設定値を連動可変させて制御する。